(57)【要約】      （修正有）【課題】何れの装置によって映像音響情報が記録された磁気テープ記録媒体を用いた場合でも、磁気テープ記録媒体の無記録領域の先頭位置を容易に検出することが可能であるとともに、これにより、磁気テープ記録媒体への映像音響情報の記録（ダビング）操作を簡略化することが可能な記録再生装置を提供する。【解決手段】このビデオレコーダ（記録再生装置）１は、ビデオテープ６０に記録されるＣＴＬ信号を検出するＣＴＬ信号検出部４ｂを備えている。また、制御部２１は、コンテンツの記録が開始される位置となる無記録領域の先頭位置を、ＣＴＬ信号検出部４ｂによるＣＴＬ信号の検出結果に基づいて検出するように制御する。【選択図】図３
2007294060.tif 000002
【特許請求の範囲】
【請求項１】
映像音響情報が記録された第１記録媒体を用いて、前記映像音響情報の再生を行う再生装置部と、着脱可能に設けられるとともに、前記映像音響情報が記録される際に、前記映像音響情報の映像信号と、前記映像信号に対応するように記録され、磁気テープ記録媒体の走行速度を制御する際に用いられる制御信号とが記録される磁気テープ記録媒体からなる第２記録媒体を用いて、前記映像音響情報の記録を行う記録装置部と、前記第１記録媒体に記録されている前記映像音響情報を、前記第２記録媒体に記録する映像音響情報記録部とを備えた記録再生装置において、
前記磁気テープ記録媒体に記録される前記制御信号を検出する制御信号検出部をさらに備え、
前記映像音響情報記録部は、前記磁気テープ記録媒体における前記映像音響情報の記録が開始される位置となる前記磁気テープ記録媒体の無記録領域の先頭位置を、前記制御信号検出部による前記制御信号の検出結果に基づいて検出する記録開始位置検出部を含み、
前記記録開始位置検出部は、
前記磁気テープ記録媒体を、始端位置まで巻き戻す動作を行う第１巻戻動作部と、
前記第１巻戻動作部によって、前記磁気テープ記録媒体が前記始端位置まで巻き戻された後、前記磁気テープ記録媒体を巻き進めながら、前記制御信号検出部により、前記磁気テープ記録媒体に記録される前記制御信号の検出動作を行う制御信号検出動作部と、
前記制御信号検出動作部による前記制御信号の検出動作時に、前記制御信号検出部によって、所定の時間、前記制御信号が検出されなかった場合に、前記制御信号が検出されなくなった位置まで前記磁気テープ記録媒体を巻き戻す動作を行う第２巻戻動作部とを含むことを特徴とする、記録再生装置。
【請求項２】
映像音響情報が記録された第１記録媒体を用いて、前記映像音響情報の再生を行う再生装置部と、
着脱可能に設けられるとともに、前記映像音響情報が記録される際に、前記映像音響情報の映像信号と、前記映像信号に対応する記録信号とが記録される磁気テープ記録媒体からなる第２記録媒体を用いて、前記映像音響情報の記録を行う記録装置部と、
前記第１記録媒体に記録されている前記映像音響情報を、前記第２記録媒体に記録する映像音響情報記録部と、
前記磁気テープ記録媒体に記録される前記記録信号を検出する記録信号検出部とを備え、
前記映像音響情報記録部は、前記磁気テープ記録媒体における前記映像音響情報の記録が開始される位置となる前記磁気テープ記録媒体の無記録領域の先頭位置を、前記記録信号検出部による前記記録信号の検出結果に基づいて検出する記録開始位置検出部を含むことを特徴とする、記録再生装置。
【請求項３】
前記磁気テープ記録媒体に記録される前記記録信号は、前記磁気テープ記録媒体の走行速度を制御する際に用いられる制御信号であり、
前記記録信号検出部は、前記制御信号を検出する制御信号検出部であることを特徴とする、請求項２に記載の記録再生装置。
【請求項４】
前記記録開始位置検出部は、
前記磁気テープ記録媒体を、始端位置まで巻き戻す動作を行う第１巻戻動作部と、
前記第１巻戻動作部によって、前記磁気テープ記録媒体が前記始端位置まで巻き戻された後、前記磁気テープ記録媒体を巻き進めながら、前記制御信号検出部により、前記磁気テープ記録媒体に記録される前記制御信号の検出動作を行う制御信号検出動作部と、
前記制御信号検出動作部による前記制御信号の検出動作時に、前記制御信号検出部によって、所定の時間、前記制御信号が検出されなかった場合に、前記制御信号が検出されなくなった位置まで前記磁気テープ記録媒体を巻き戻す動作を行う第２巻戻動作部とを含むことを特徴とする、請求項３に記載の記録再生装置。
【請求項５】
前記磁気テープ記録媒体の前記制御信号を計数することにより、前記磁気テープ記録媒体の記録可能時間を算出する記録時間算出部をさらに備えることを特徴とする、請求項３または４に記載の記録再生装置。
【発明の詳細な説明】
【技術分野】
【０００１】
この発明は、記録再生装置に関し、特に、磁気テープ記録媒体を用いて映像音響情報の記録を行う記録装置部を備えた記録再生装置に関する。
【背景技術】
【０００２】
従来、ハードディスクなどの記録再生部と、磁気テープ記録媒体を用いて映像音響情報（コンテンツ）の記録を行う記録装置部とを備えた記録再生装置が知られている。このような従来の記録再生装置では、一般的に、ハードディスクなどに記録されているコンテンツを磁気テープ記録媒体に記録（ダビング）することが可能に構成されている。なお、予めコンテンツが記録されている磁気テープ記録媒体を用いてダビングを行う場合には、コンテンツが記録されている領域に、後から記録されたコンテンツが記録（上書き記録）されると、その上書き記録によって、先に記録されていたコンテンツが消去されてしまう。このため、先に記録されているコンテンツが上書き記録により消去されないようにするためには、磁気テープ記録媒体の無記録領域の先頭位置を検出するとともに、磁気テープ記録媒体を、予め、その位置に移動させておくことによって、磁気テープ記録媒体の無記録領域の先頭位置から、ダビングが開始されるようにする必要がある。
【０００３】
しかしながら、従来知られている記録再生装置では、磁気テープ記録媒体の無記録領域の先頭位置を検出するために、ユーザが、磁気テープ記録媒体の再生動作と、早送り動作とを交互に繰り返し、所定の画面上で無記録領域を確認しながら無記録領域の先頭位置を検出しなければならないという不都合があった。このため、磁気テープ記録媒体の無記録領域の検出動作が煩雑になるという問題点があった。
【０００４】
また、従来、ハードディスクなどの記録再生部と、磁気テープ記録媒体を用いて映像音響情報の記録を行う記録装置部とを備えるとともに、ハードディスクなどに記録されているコンテンツを磁気テープ記録媒体にダビングすることが可能に構成された記録再生装置において、磁気テープ記録媒体の無記録領域の先頭位置を容易に検出することが可能な記録再生装置が知られている（たとえば、特許文献１および２参照）。
【０００５】
上記特許文献１には、ハードディスクと、ビデオテープ（磁気テープ記録媒体）に番組（コンテンツ）を記録するための記録装置部とを備え、ハードディスクに記録された番組をビデオテープにダビングすることが可能な記録再生装置において、記録されている番組の数をカウントする保存番組カウンタ、および、番組の終了位置を示す終了ブロックなどが含まれた保存番組情報などをビデオテープに記録する機能を有する記録再生装置が記載されている。また、ビデオテープに記録された保存番組情報は、保存した時間が古い順に記録されており、最後の保存番組情報に含まれる終了ブロックの次のブロックが、ビデオテープの未使用部の先頭ブロック（無記録領域の先頭位置）となる。また、上記特許文献１に記載の記録再生装置は、ビデオテープに記録された最終の保存番組情報に含まれる終了ブロックを参照することによって、ビデオテープの未使用部の先頭ブロックを容易に検出することが可能に構成されているとともに、制御部によって、検出された未使用部の先頭ブロックまでビデオテープが進められるように構成されている。
【０００６】
また、上記特許文献２には、ハードディスクと、磁気テープカセット（磁気テープ記録媒体）にコンテンツを記録するためのＶＣＲ（記録装置部）とを備え、ハードディスクに記録されたコンテンツを磁気テープカセットにダビングすることが可能な映像記録再生装置（記録再生装置）において、ダビング時に、磁気テープカセットのテープ番号やコンテンツのテープ位置（カウンタ値）などの各種情報を装置本体のメモリに記録する機能を有するとともに、次のダビング時に、メモリに記録されたコンテンツのテープ位置を参照して、磁気テープカセットの無記録領域の先頭位置を容易に検出することが可能な映像記録再生装置が記載されている。
【０００７】
【特許文献１】特開２００４−２４８２６０号公報
【特許文献２】特開２００３−２９８９９２号公報
【発明の開示】
【発明が解決しようとする課題】
【０００８】
しかしながら、上記特許文献１に記載された記録再生装置では、ビデオテープの未使用部の先頭ブロックを検出するために参照する保存番組情報の終了ブロックは、上記特許文献１に記載された記録再生装置が有する機能によってビデオテープに記録されるので、上記特許文献１に記載された記録再生装置と異なる記録再生装置で記録されたビデオテープには、上記保存番組情報の終了ブロックは記録されないという不都合がある。そのため、上記特許文献１に記載された記録再生装置と異なる記録再生装置で記録されたビデオテープを用いてコンテンツをダビングする場合には、保存番組情報を参照することができないので、未使用部の先頭ブロックを検出するのが困難になるという問題点がある。
【０００９】
また、上記特許文献２に記載された映像記録再生装置では、メモリに記録されたコンテンツのテープ位置を参照するためには、上記特許文献２に記載の映像記録再生装置を用いて、コンテンツをダビングした磁気テープカセットを用いる必要があるという不都合がある。そのため、上記特許文献２に記載された装置と異なる記録再生装置で記録された磁気テープカセットを用いてコンテンツをダビングする場合には、装置本体のメモリに磁気テープカセットの各種情報（テープ位置など）が存在しないので、磁気テープカセットのテープ位置の情報を参照して、無記録領域の先頭位置を検出するのが困難になるという問題点がある。
【００１０】
この発明は、上記のような課題を解決するためになされたものであり、この発明の１つの目的は、何れの装置によって映像音響情報が記録された磁気テープ記録媒体を用いた場合でも、磁気テープ記録媒体の無記録領域の先頭位置を容易に検出することが可能であるとともに、これにより、磁気テープ記録媒体への映像音響情報の記録（ダビング）操作を簡略化することが可能な記録再生装置を提供することである。
【課題を解決するための手段】
【００１１】
この発明の第１の局面における記録再生装置は、映像音響情報が記録された第１記録媒体を用いて、映像音響情報の再生を行う再生装置部と、着脱可能に設けられるとともに、映像音響情報が記録される際に、映像音響情報の映像信号と、映像信号に対応するように記録され、磁気テープ記録媒体の走行速度を制御する際に用いられる制御信号とが記録される磁気テープ記録媒体からなる第２記録媒体を用いて、映像音響情報の記録を行う記録装置部と、第１記録媒体に記録されている映像音響情報を、第２記録媒体に記録する映像音響情報記録部とを備えた記録再生装置において、磁気テープ記録媒体に記録される制御信号を検出する制御信号検出部をさらに備え、映像音響情報記録部は、磁気テープ記録媒体における映像音響情報の記録が開始される位置となる磁気テープ記録媒体の無記録領域の先頭位置を、制御信号検出部による制御信号の検出結果に基づいて検出する記録開始位置検出部を含み、記録開始位置検出部は、磁気テープ記録媒体を、始端位置まで巻き戻す動作を行う第１巻戻動作部と、第１巻戻動作部によって、磁気テープ記録媒体が始端位置まで巻き戻された後、磁気テープ記録媒体を巻き進めながら、制御信号検出部により、磁気テープ記録媒体に記録される制御信号の検出動作を行う制御信号検出動作部と、制御信号検出動作部による制御信号の検出動作時に、制御信号検出部によって、所定の時間、制御信号が検出されなかった場合に、制御信号が検出されなくなった位置まで磁気テープ記録媒体を巻き戻す動作を行う第２巻戻動作部とを含む。
【００１２】
この発明の第２の局面における記録再生装置は、映像音響情報が記録された第１記録媒体を用いて、映像音響情報の再生を行う再生装置部と、着脱可能に設けられるとともに、映像音響情報が記録される際に、映像音響情報の映像信号と、映像信号に対応する記録信号とが記録される磁気テープ記録媒体からなる第２記録媒体を用いて、映像音響情報の記録を行う記録装置部と、第１記録媒体に記録されている映像音響情報を、第２記録媒体に記録する映像音響情報記録部と、磁気テープ記録媒体に記録される記録信号を検出する記録信号検出部とを備え、映像音響情報記録部は、磁気テープ記録媒体における映像音響情報の記録が開始される位置となる磁気テープ記録媒体の無記録領域の先頭位置を、記録信号検出部による記録信号の検出結果に基づいて検出する記録開始位置検出部を含む。
【００１３】
この第２の局面による記録再生装置では、上記のように、記録信号検出部を、磁気テープ記録媒体に記録される記録信号を検出するように構成することによって、記録信号は、映像音響情報の映像信号が記録される際に、映像信号に対応して磁気テープ記録媒体に記録される信号であるので、何れの装置によって映像音響情報が磁気テープ記録媒体に記録された場合でも、記録信号が磁気テープ記録媒体に記録される。このため、何れの装置によって映像音響情報が記録された磁気テープ記録媒体を用いた場合でも、記録信号検出部によって、磁気テープ記録媒体に記録された記録信号を検出することができる。また、映像音響情報記録部の記録開始位置検出部を、磁気テープ記録媒体における映像音響情報の記録が開始される位置となる磁気テープ記録媒体の無記録領域の先頭位置を記録信号検出部による記録信号の検出結果に基づいて検出するように構成することによって、記録信号検出部により記録信号が検出されなくなった位置が映像信号の記録されていない位置に対応するので、この記録信号の検出の有無を記録信号検出部によって検出することにより、何れの装置によって映像音響情報が記録された磁気テープ記録媒体を用いた場合でも、磁気テープ記録媒体の無記録領域の先頭位置を容易に検出することができるとともに、磁気テープ記録媒体を、無記録領域の先頭位置に移動させることができる。これにより、第１記録媒体に記録された映像音響情報を、磁気テープ記録媒体に記録（ダビング）する際に、磁気テープ記録媒体の再生動作と早送り動作とを交互に繰り返しながら、所定の画面上で磁気テープ記録媒体の無記録領域を確認する必要がなくなるので、その分、磁気テープ記録媒体への映像音響情報のダビング操作を簡略化することができる。
【００１４】
上記第２の局面による記録再生装置において、好ましくは、磁気テープ記録媒体に記録される記録信号は、磁気テープ記録媒体の走行速度を制御する際に用いられる制御信号であり、記録信号検出部は、制御信号を検出する制御信号検出部である。このように構成すれば、制御信号は、磁気テープ記録媒体の走行速度を制御するために必要な信号であるとともに、映像信号を記録された通りに再生するために記録される信号であるため、何れの装置によって映像音響情報が磁気テープ記録媒体に記録された場合でも、この制御信号が磁気テープ記録媒体に記録される。このため、何れの装置によって映像音響情報が記録された磁気テープ記録媒体を用いた場合でも、制御信号検出部により、磁気テープ記録媒体に記録された制御信号を検出することができるので、この制御信号の検出の有無を制御信号検出部によって検出することにより、何れの装置によって映像音響情報が記録された磁気テープ記録媒体を用いた場合でも、磁気テープ記録媒体の無記録領域の先頭位置を容易に検出することができる。
【００１５】
上記第２の局面による記録再生装置において、好ましくは、記録開始位置検出部は、磁気テープ記録媒体を、始端位置まで巻き戻す動作を行う第１巻戻動作部と、第１巻戻動作部によって、磁気テープ記録媒体が始端位置まで巻き戻された後、磁気テープ記録媒体を巻き進めながら、制御信号検出部により、磁気テープ記録媒体に記録される制御信号の検出動作を行う制御信号検出動作部と、制御信号検出動作部による制御信号の検出動作時に、制御信号検出部によって、所定の時間、制御信号が検出されなかった場合に、制御信号が検出されなくなった位置まで磁気テープ記録媒体を巻き戻す動作を行う第２巻戻動作部とを含む。このように構成すれば、所定の時間、制御信号が検出されなかった場合には、所定の時間、映像信号が記録されていないと考えられるので、この場合には、その領域は、磁気テープ記録媒体の無記録領域であると判断することができる。また、所定の時間、制御信号が検出されなくなった後、制御信号が検出されなくなった位置まで磁気テープ記録媒体を巻き戻すことによって、磁気テープ記録媒体を、無記録領域の先頭位置まで容易に移動させることができる。これにより、磁気テープ記録媒体の無記録領域の先頭位置から、映像音響情報のダビング（記録）を開始することができるので、ダビング時の上書き記録によって、先に記録されている映像音響情報が消去されるのを抑制することができる。
【００１６】
上記磁気テープ記録媒体に記録される制御信号を検出する制御信号検出部を備えた構成において、好ましくは、磁気テープ記録媒体の制御信号を計数することにより、磁気テープ記録媒体の記録可能時間を算出する記録時間算出部をさらに備える。このように構成すれば、磁気テープ記録媒体の始端位置から無記録領域の先頭位置までの制御信号を計数することにより、記録されている映像音響情報の記録時間を算出することができるので、磁気テープ記録媒体の総記録時間が分かっている場合には、その差より、磁気テープ記録媒体の無記録領域の記録可能時間を算出することができる。その結果、第１記録媒体に記録されている映像音響情報を磁気テープ記録媒体にダビングする際に、ダビングする映像音響情報の全てが記録可能であるかを検出することができる。
【発明の効果】
【００１７】
本発明の第１の局面による記録再生装置では、上記のように、制御信号検出部を、磁気テープ記録媒体に記録される制御信号を検出するように構成することによって、制御信号は、磁気テープ記録媒体の走行速度を制御するために必要な信号であるとともに、映像信号を記録された通りに再生するために記録される信号であるため、何れの装置によって映像音響情報が磁気テープ記録媒体に記録された場合でも、この制御信号が磁気テープ記録媒体に記録される。このため、何れの装置によって映像音響情報が記録された磁気テープ記録媒体を用いた場合でも、制御信号検出部により、磁気テープ記録媒体に記録された制御信号を検出することができる。また、映像音響情報記録部の記録開始位置検出部を、磁気テープ記録媒体における映像音響情報の記録が開始される位置となる磁気テープ記録媒体の無記録領域の先頭位置を制御信号検出部による制御信号の検出結果に基づいて検出するように構成することによって、制御信号検出部により制御信号が検出されなくなった位置が映像信号の記録されていない位置に対応するので、この制御信号の検出の有無を制御信号検出部によって検出することにより、何れの装置によって映像音響情報が記録された磁気テープ記録媒体を用いた場合でも、磁気テープ記録媒体の無記録領域の先頭位置を容易に検出することができるとともに、磁気テープ記録媒体を、無記録領域の先頭位置に移動させることができる。これにより、第１記録媒体に記録された映像音響情報を、磁気テープ記録媒体に記録（ダビング）する際に、磁気テープ記録媒体の再生動作と早送り動作とを交互に繰り返しながら、所定の画面上で磁気テープ記録媒体の無記録領域を確認する必要がなくなるので、その分、磁気テープ記録媒体への映像音響情報のダビング操作を簡略化することができる。
【００１８】
また、本発明の第１の局面では、磁気テープ記録媒体を、始端位置まで巻き戻す動作を行う第１巻戻動作部と、第１巻戻動作部によって、磁気テープ記録媒体が始端位置まで巻き戻された後、磁気テープ記録媒体を巻き進めながら、制御信号検出部により、磁気テープ記録媒体に記録される制御信号の検出動作を行う制御信号検出動作部と、制御信号検出動作部による制御信号の検出動作時に、制御信号検出部によって、所定の時間、制御信号が検出されなかった場合に制御信号が検出されなくなった位置まで磁気テープ記録媒体を巻き戻す動作を行う第２巻戻動作部とを含むように、記録開始位置検出部を構成することによって、所定の時間、制御信号が検出されなかった場合には、所定の時間、映像信号が記録されていないと考えられるので、この場合には、その領域は、磁気テープ記録媒体の無記録領域であると判断することが可能である。また、所定の時間、制御信号が検出されなくなった後、制御信号が検出されなくなった位置まで磁気テープ記録媒体を巻き戻すことによって、磁気テープ記録媒体を、無記録領域の先頭位置まで容易に移動させることができる。これにより、磁気テープ記録媒体の無記録領域の先頭位置から、映像音響情報のダビング（記録）を開始することができるので、ダビング時の上書き記録によって、先に記録されている映像音響情報が消去されるのを抑制することができる。
【発明を実施するための最良の形態】
【００１９】
以下、本発明を具体化した実施形態を図面に基づいて説明する。なお、本実施形態では、記録再生装置の一例であるビデオレコーダ１に本発明を適用した場合について説明する。
【００２０】
図１は、本発明の一実施形態によるビデオレコーダの全体斜視図であり、図２は、図１に示した本発明の一実施形態によるビデオレコーダのリモコン送信機の平面図である。図３は、図３は、図１に示した本発明の一実施形態によるビデオレコーダの構成を説明するためのブロック図であり、図４は、本発明の一実施形態によるビデオレコーダのビデオテープに記録された記録信号を説明するための図である。まず、図１〜図４を参照して、本発明の一実施形態によるビデオレコーダ１の構造について説明する。
【００２１】
本実施形態によるビデオレコーダ１は、図１に示すように、コンテンツ（映像音響情報）を録画（記録）および再生するための録画再生部である、ＨＤＤ（Ｈａｒｄ  Ｄｉｓｋ  Ｄｅｖｉｃｅ）２、ＤＶＤ（Ｄｉｇｉｔａ  Ｖｅｒｓａｔｉｌｅ  Ｄｉｓｋ）ドライブ３、および、ＶＣＲ（Ｖｉｄｅｏ  Ｃａｓｓｅｔｔｅ  Ｒｅｃｏｒｄｅｒ）４を備えている。また、ビデオレコーダ１の正面には、図１に示すように、電源スイッチ５と、後述するリモコン送信機１０から送信される信号光を受光する信号受光部６と、外部光学記憶媒体であるＤＶＤメディア７０をＤＶＤドライブ３に挿入するためのＤＶＤ挿入部３ａおよび磁気記憶媒体であるビデオテープ６０をＶＣＲ４に挿入するためのＶＣＲ挿入部４ａと、コンテンツの録画操作および再生操作をビデオレコーダ１側で行うための操作ボタン７と、ビデオレコーダ１の動作状態および警告などを表示する表示部８とが設けられている。なお、ＨＤＤ２およびＤＶＤドライブ３は、本発明の「再生装置部」の一例であり、ＶＣＲ４は、本発明の「記録装置部」の一例である。また、ビデオテープ６０は、本発明の「磁気テープ記録媒体」および「第２記録媒体」の一例である。
【００２２】
また、ビデオレコーダ１には、ビデオレコーダ１に指令を送信するためのリモコン送信機１０が付属で備えられている。このリモコン送信機１０には、図２に示すように、電源ボタン１１と、外部モニタ４０（図３参照）の画面上にメニュー画面を表示させるためのメニューボタン１２と、テレビジョン放送の受信チャンネルなどを指定する複数の数字ボタン１３と、メニュー画面上で各種設定を行うための選択ボタン１４と、コンテンツの録画操作および再生操作の指令を行うための操作ボタン１５と、複数の録画再生部を切り替えるための切替ボタン１６と、各ボタンに対応する指令を信号光（リモコン信号）としてビデオレコーダ１に発信するための発光部１７とが設けられている。
【００２３】
また、図３に示すように、ビデオレコーダ１の内部には、上記したＨＤＤ２、ＤＶＤドライブ３、ＶＣＲ４以外に、電源部２０、制御部２１、制御プログラム記憶部（ＲＯＭ：Ｒｅａｄ  Ｏｎｌｙ  Ｍｅｍｏｒｙ）２２、記録用メモリ２３、メモリ（ＲＡＭ：Ｒａｎｄｏｍ  Ａｃｃｅｓｓ  Ｍｅｍｏｒｙ）２４、チューナ部２５、エンコーダ部２６、デコーダ部２７、ＯＳＤ回路部２８、および、加算器２９が設けられている。また、ビデオレコーダ１の背面には、テレビジョン放送を受信するためのアンテナ５０とチューナ部２５とを接続するための接続端子（図示せず）と、コンテンツを再生するための外部モニタ４０が接続される外部出力端子３０（図３参照）とが設けられている。
【００２４】
また、図１に示すように、電源スイッチ５は、ユーザが押すことにより、電源部２０（図３参照）から各回路に電力が供給されるように構成されている。また、信号受光部６は、リモコン送信機１０から送信される信号光を受光した後、受光した信号光を電気信号に変換して制御部２１に与える機能を有している。これにより、リモコン送信機１０の各ボタンに対応した指令に基づいて、制御部２１により、ビデオレコーダ１の各種動作が制御される。
【００２５】
また、図２に示すように、リモコン送信機１０の各ボタンは、ユーザが押し下げることによって、発光部１７から信号光が送信されるように構成されている。また、電源ボタン１１は、ユーザが押し下げることによって、上記電源スイッチ５と同様に、電源部２０から各回路に電力が供給されるように構成されている。また、数字ボタン１３は、ユーザが押し下げることによって、テレビジョン放送のチャンネルを選択することが可能に構成されている。また、選択ボタン１４は、左右上下方向へのカーソル移動を指示する４つの矢印ボタン１４ａと、４つの矢印ボタン１４ａの中央部に設けられた決定ボタン１４ｂとから構成されている。また、切替ボタン１６は、ユーザが切替ボタン１６の１つを押し下げることにより、そのボタンに対応した録画再生部（ＨＤＤ２、ＤＶＤドライブ３、または、ＶＣＲ４）を、録画操作および再生操作が可能な状態に待機させるように構成されている。
【００２６】
また、図３に示すように、チューナ部２５は、アンテナ５０で受信された信号電波から、ユーザによって指定された１つのチャンネルの信号電波を選択し、アナログのテレビジョン信号に復調する機能を有している。また、エンコーダ部２６は、チューナ部２５で復調されたアナログのテレビジョン信号をデジタル信号に変換するとともに、変換されたデジタル信号を符号化して圧縮する機能を有している。また、ＨＤＤ２およびＤＶＤドライブ３は、エンコーダ部２６で変換されたデジタル圧縮信号（デジタル信号）を記録する機能を有している。また、ＨＤＤ２は、高速回転する磁気ディスク２ａ（磁気記憶媒体）を内部に有しており、この磁気ディスク２ａにデジタル信号が記録されることによって、アンテナ５０で受信されたテレビジョン信号がコンテンツとしてデジタル録画されるように構成されている。また、ＤＶＤドライブ３は、取り出し可能なＤＶＤメディア７０（外部光学記憶媒体）にデジタル信号が記録されることによって、アンテナ５０で受信されたテレビジョン信号がコンテンツとしてデジタル録画されるように構成されている。また、デコーダ部２７は、ＨＤＤ２およびＤＶＤドライブ３に記録されたデジタル圧縮信号を復元するとともに、復元されたデジタル信号をアナログ信号に変換する機能を有している。なお、磁気ディスク２ａ、および、ＤＶＤメディア７０は、本発明の「第１記録媒体」の一例である。
【００２７】
また、ＶＣＲ４には、ビデオテープ６０のテープ表面に記録される後述するコントロール（ＣＴＬ）信号６３（図４参照）を検出するＣＴＬ信号検出部４ｂが設けられている。なお、ＣＴＬ信号６３は、本発明の「記録信号」および「制御信号」の一例であり、ＣＴＬ信号検出部４ｂは、本発明の「記録信号検出部」および「制御信号検出部」の一例である。また、ビデオテープ６０のテープ表面には、図４に示すように、コンテンツの映像信号６１がテープの中央部に記録されている。また、テープの上下端側には、それぞれ、音声信号６２とＣＴＬ信号６３とが記録されている。このＣＴＬ信号６３は、音声信号６２とともに、映像信号６１に対応してテープに記録されており、コンテンツの再生時にＣＴＬ信号６３に基づいて、キャプスタン（図示せず）の送り速度を制御するとともに、映像信号６１を読み取るビデオヘッド（図示せず）との同期を取り、正しいタイミングでビデオヘッド（図示せず）が映像信号６１をトレースできるように制御するために用いられる。このため、ＣＴＬ信号６３は、コンテンツが録画される際には、ビデオレコーダ１の機種に依存することなく、必ず記録される。また、ＣＴＬ信号６３は、映像信号６１と対応して記録されるため、コンテンツが記録されていない領域には、ＣＴＬ信号６３も記録されていない。
【００２８】
また、制御部２１は、ビデオレコーダ１の各種動作およびデータ処理に関する制御を行う機能を有している。この制御部２１は、録画するコンテンツの日時などを録画予約として記録用メモリ２３に登録するとともに、登録された録画予約に基づいて録画動作を実行する機能を有している。また、制御部２１は、時間を計測するためのタイマー部２１ａを有しており、このタイマー部２１ａによって、記録用メモリ２３に登録された録画予約の録画開始時刻（日時）などをモニタしている。また、制御部２１は、録画予約の録画開始時刻（日時）に、録画予約に基づくチャンネルのテレビジョン信号を受信するように、チューナ部２５を制御するとともに、チューナ部２５で受信したテレビジョン信号を、ＨＤＤ２、または、ＤＶＤドライブ３の一方の録画再生部、または、両方の録画再生部に録画するように制御する。
【００２９】
また、制御部２１は、ＨＤＤ２の磁気ディスク２ａ、または、ＤＶＤドライブ３のＤＶＤメディア７０に記録（録画）されているコンテンツを再生する機能を有しているとともに、再生されたコンテンツを、デコーダ部２７を介して、ＶＣＲ４のビデオテープ６０にダビング（記録）する機能を有している。また、制御部２１は、ＶＣＲ４のビデオテープ６０に録画されているコンテンツを再生する機能を有しているとともに、再生されたコンテンツをエンコーダ部２６を介して、ＨＤＤ２の磁気ディスク２ａ、または、ＤＶＤドライブ３のＤＶＤメディア７０にダビング（記録）する機能も有している。なお、制御部２１は、本発明の「映像音響情報記録部」、「記録開始位置検出部」、「第１巻戻動作部」、「第１巻戻動作部」、「制御信号検出動作部」および「記録時間算出部」の一例である。
【００３０】
また、制御プログラム記憶部２２には、ビデオレコーダ１の各種動作を制御するための制御プログラムが記憶されており、この制御プログラムが制御部２１に読み込まれることによって、制御部２１による各種動作およびデータ処理に関する制御が行われる。また、メモリ２４は、ＨＤＤ２およびＤＶＤドライブ３が保持する各種データを一時的に記憶する媒体である。また、メモリ２４は、制御部２１によって各種動作およびデータ処理が行われる際に、処理データおよびユーザからの指示命令などを一時的に記憶しておくためのバッファメモリとしての機能も有している。また、ＯＳＤ回路部２８は、制御部２１からの制御信号に基づいて、リモコン送信機１０の各ボタンの指示内容に対応した各種情報についてのＯＳＤ信号を生成する機能を有している。また、加算器２９は、デコーダ部２７から送信されたアナログ信号と、ＯＳＤ回路部２８によって生成されたＯＳＤ信号とを合成して、外部出力端子に送信する機能を有している。
【００３１】
また、外部モニタ４０は、映像表示部４０ａと、スピーカ部４０ｂとから構成されている。この外部モニタ４０の画面上には、外部出力端子３０と接続されることによって、ビデオレコーダ１に録画されたコンテンツが再生されるとともに、ＯＳＤ回路部２８からのＯＳＤ信号によって、外部モニタ４０の画面上に設定画面が表示され、その設定画面上で、ビデオレコーダ１の各種設定操作が行われる。
【００３２】
図５および図６は、図１に示した一実施形態によるビデオレコーダのダビング動作を説明するためのフローチャートである。また、図７は、図６に示した一実施形態のステップＳ１７のＶＣＲダビング終了動作ルーチンについて説明するためのフローチャートである。図８および図９は、図１に示した一実施形態によるビデオレコーダの表示画面を示した図である。次に、図５〜図９を参照して、本実施形態によるビデオレコーダ１のダビング動作について説明する。まず、図５のステップＳ１において、制御部２１により、ビデオレコーダ１の電源スイッチ５またはリモコン送信機１０の電源ボタン１１がＯＮ状態であるか否かが判断される。ステップＳ１において、制御部２１により、電源スイッチ５または電源ボタン１１がＯＮ状態ではないと判断された場合には、ステップＳ１における電源スイッチ５または電源ボタン１１がＯＮ状態であるか否かの判断が繰り返される。一方、ステップＳ１において、制御部２１により、電源スイッチ５または電源ボタン１１がＯＮ状態であると判断された場合には、ステップＳ２において、制御部２１により、ビデオテープ６０が挿入されているか否かが判断される。
【００３３】
ステップＳ２において、制御部２１により、ビデオテープ６０が挿入されていないと判断された場合には、ビデオテープ６０の挿入を促す表示が表示部８、または、外部モニタ４０の画面上になされるとともに、制御部２１により、ステップＳ２におけるビデオテープ６０が挿入されているか否かの判断が繰り返される。一方、ステップＳ２において、制御部２１により、ビデオテープ６０が挿入されていると判断された場合には、ステップＳ３において、制御部２１により、挿入されたビデオテープ６０の総録画時間（コンテンツが録画されていない状態でのビデオテープ６０の録画可能時間）が入力されているか否かが判断される。ビデオテープ６０の総録画時間の入力は、たとえば、図８に示すように、外部モニタ４０（映像表示部４０ａ）の画面上にビデオテープ６０の総録画時間の入力画面が表示されるとともに、その表示画面上でユーザが総録画時間を選択することにより行われる。ステップＳ３において、制御部２１により、挿入されたビデオテープ６０の総録画時間が入力されていないと判断された場合には、ビデオテープ６０の総録画時間の入力を促す表示が表示部８、または、外部モニタ４０（映像表示部４０ａ）の画面上になされるとともに、ステップＳ３におけるビデオテープ６０の総録画時間が入力されているか否かの判断が繰り返される。一方、ステップＳ３において、制御部２１により、ビデオテープ６０の総録画時間が入力されていると判断された場合には、ステップＳ４において、制御部２１により、ダビングするコンテンツが選択されているか否かが判断される。ダビングするコンテンツの選択は、たとえば、図９に示すように、外部モニタ４０（映像表示部４０ａ）の画面上にダビングするコンテンツの選択画面が表示（コンテンツがサムネイル画像で一覧表示）されるとともに、その表示画面上でユーザがダビングするコンテンツを選択することにより行われる。
【００３４】
ステップＳ４において、制御部２１により、ダビングするコンテンツが選択されていないと判断された場合には、ステップＳ４におけるダビングするコンテンツが選択されたか否かの判断が繰り返される。一方、ステップＳ４において、制御部２１により、ダビングするコンテンツが選択されていると判断された場合には、ステップＳ５において、制御部２１により、ダビング開始指示が出されたか否かが判断される。このダビング開始指示は、外部モニタ４０（映像表示部４０ａ）の画面上にダビング開始指示画面を表示させることによって行ってもよい。また、図示しない操作ボタンをユーザが押し下げることによって、ダビング開始指示を行うようにしてもよい。ステップＳ５において、制御部２１により、ダビング開始指示が出されていないと判断された場合には、ステップＳ５におけるダビング開始指示が出されたか否かの判断が繰り返される。一方、ステップＳ５において、制御部２１により、ダビング開始指示が出されたと判断された場合には、ステップＳ６において、制御部２１により、ＶＣＲ４の早戻し動作（巻き戻し動作）が行われる。これにより、挿入されたビデオテープ６０が始端位置まで巻き戻される。次に、ステップＳ７において、制御部２１により、ＶＣＲ４の早送り動作（巻き進め動作）が行われるとともに、ＣＴＬ信号検出部４ｂによるビデオテープ６０のＣＴＬ信号６３の有無が検出される。これにより、ビデオテープ６０が早送りされながら、ＣＴＬ信号６３の有無が検出される。
【００３５】
次に、ステップＳ８において、制御部２１により、所定の時間、ＣＴＬ信号６３が検出されていないか否かが判断される。具体的には、ステップＳ７におけるＣＴＬ信号６３の検出を行っている最中に、ＣＴＬ信号６３が所定の時間、存在しない領域があるか否かの検出を行う。この所定の時間としては、たとえば、３分程度が考えられる。この時間、ＣＴＬ信号６３が検出されない場合は、３分程度、コンテンツが録画されていないということであるので、この領域以降は、コンテンツが記録されていない領域（無記録領域）であると判断することが可能である。
【００３６】
ステップＳ８において、制御部２１により、ＣＴＬ信号６３が検出されない時間が、所定の時間に達していないと判断された場合には、ステップＳ７に戻り、ＣＴＬ信号６３が検出されない時間が所定の時間に達するまで同じ動作が繰り返される。一方、ステップＳ８において、制御部２１により、ＣＴＬ信号６３が検出されていない時間が所定の時間に達したと判断された場合には、ステップＳ９において、制御部２１により、無記録領域が検出されたと判断され、ビデオテープ６０の早送り動作が停止される。次に、図６のステップＳ１０において、制御部２１により、ＣＴＬ信号６３が検出されなくなった最初の位置まで、ビデオテープ６０の早戻し動作（巻き戻し動作）が行われる。これにより、ビデオテープ６０の無記録領域の先頭位置まで、ビデオテープ６０が移動される。
【００３７】
そして、ステップＳ１１において、制御部２１により、ビデオテープ６０が録画待機の状態にされる。その後、制御部２１により、挿入されたビデオテープ６０の録画可能時間が算出されるとともに、ステップＳ１２において、制御部２１により、選択されたダビングを行うコンテンツの全てが、挿入されたビデオテープ６０に録画可能か否かが判断される。ステップＳ１２において、制御部２１により、選択されたコンテンツの全てを録画するのは不可能であると判断された場合には、ステップＳ１３において、制御部２１により、ユーザの指示を求める表示がなされる。ユーザの指示を求める表示としては、たとえば、外部モニタ４０（映像表示部４０ａ）の画面上に、「ダビングを開始しますか？」という表示がされ、その質問に対する回答として、「はい」または「いいえ」をユーザが選択することが可能な表示が考えられる。次に、ステップＳ１４において、制御部２１により、ユーザによるダビング開始の指示の有無が判断される。ステップＳ１４において、制御部２１により、ユーザがダビング開始を指示したと判断された（ユーザが「はい」を選択した）場合には、ステップＳ１５において、制御部２１により、選択したコンテンツのダビングが開始される。一方、ステップＳ１４において、制御部２１により、ユーザがダビング開始を指示していないと判断された（ユーザが「いいえ」を選択した）場合には、ビデオテープ６０にコンテンツがダビングされない状態で、ダビング動作のフローは終了する。
【００３８】
一方、ステップＳ１２において、制御部２１により、選択されたダビングを行うコンテンツの全てが、挿入されたビデオテープ６０に録画可能であると判断された場合には、ステップＳ１５において、制御部２１により、ＶＣＲ４の録画動作が開始される。その後、直ちに、ステップＳ１６において、制御部２１により、選択したダビングを行うコンテンツが再生される。これにより、再生されたコンテンツが、ビデオテープ６０に録画（ダビング）される。
【００３９】
その後、ステップＳ１７において、制御部２１により、ＶＣＲダビング終了動作が行われ、ダビング動作のフローが終了する。
【００４０】
続いて、図７を参照して、図６に示した一実施形態のステップＳ１７のＶＣＲダビング終了動作ルーチンについて説明する。図６のステップＳ２１において、制御部２１により、選択したダビングを行うコンテンツの再生が終了したか否かが判断される。ステップＳ２１において、制御部２１により、コンテンツの再生が終了していないと判断された場合には、ステップＳ２２において、制御部２１により、ビデオテープ６０の録画が終了している（ビデオテープ６０が終端位置で止まっている）か否かが判断される。ステップＳ２２において、制御部２１により、ビデオテープ６０の録画が終了していないと判断された場合には、ステップＳ２１に戻り、同じ動作が繰り返される。一方、ステップＳ２２において、制御部２１により、ビデオテープ６０の録画が終了していると判断された場合には、ステップＳ２３に進む。
【００４１】
一方、ステップＳ２１において、制御部２１により、コンテンツの再生が終了したと判断された場合には、ステップＳ２３において、制御部２１により、コンテンツの再生動作が停止される。その後、直ちに、ステップＳ２４において、制御部２１により、ＶＣＲ４の録画動作が停止される。これにより、ステップＳ１７のＶＣＲダビング終了動作ルーチンが終了する。
【００４２】
本実施形態では、上記のように、ＣＴＬ信号検出部４ｂを、ビデオテープ６０に記録されるＣＴＬ信号６３を検出するように構成することによって、ＣＴＬ信号６３は、ビデオテープ６０の走行速度を制御するために必要な信号であるとともに、映像信号６１を記録された通りに再生するために記録される信号であるため、何れのビデオレコーダによってコンテンツがビデオテープ６０に録画された場合でも、このＣＴＬ信号６３がビデオテープ６０に記録される。このため、何れのビデオレコーダによってコンテンツが録画されたビデオテープ６０を用いた場合でも、ＣＴＬ信号検出部４ｂにより、ビデオテープ６０に記録されたＣＴＬ信号６３を検出することができる。
【００４３】
また、本実施形態では、制御部２１を、ビデオテープ６０におけるコンテンツの録画が開始される位置となるビデオテープ６０の無記録領域の先頭位置をＣＴＬ信号検出部４ｂによるＣＴＬ信号６３の検出結果に基づいて検出するように構成することによって、ＣＴＬ信号検出部４ｂによりＣＴＬ信号６３が検出されなくなった位置が映像信号６１の記録されていない位置（コンテンツが記録されていない位置）に対応するので、このＣＴＬ信号６３の検出の有無をＣＴＬ信号検出部４ｂによって検出することにより、何れのビデオレコーダによってコンテンツが録画されたビデオテープ６０を用いた場合でも、ビデオテープ６０の無記録領域の先頭位置を容易に検出することができるとともに、ビデオテープ６０を、無記録領域の先頭位置に移動させることができる。これにより、ＨＤＤ２（磁気ディスク２ａ）、または、ＤＶＤメディア７０に録画されたコンテンツを、ビデオテープ６０にダビングする際に、ビデオテープ６０の再生動作と早送り動作とを交互に繰り返しながら、外部モニタ４０の画面上でビデオテープ６０の無記録領域を確認する必要がなくなるので、その分、ビデオテープ６０へのコンテンツのダビング操作を簡略化することができる。
【００４４】
また、本実施形態では、制御部２１を、ビデオテープ６０を始端位置まで巻き戻すように構成するとともに、ビデオテープ６０が始端位置まで巻き戻された後、ビデオテープ６０を早送りしながら、ＣＴＬ信号検出部４ｂにより、ビデオテープ６０に記録されるＣＴＬ信号６３の検出動作を行うように構成し、かつ、ＣＴＬ信号６３の検出動作時に、ＣＴＬ信号検出部４ｂによって、所定の時間、ＣＴＬ信号６３が検出されなかった場合に、ＣＴＬ信号６３が検出されなくなった位置までビデオテープ６０を巻き戻すように構成することによって、所定の時間、ＣＴＬ信号６３が検出されなかった場合には、所定の時間、映像信号６１（コンテンツ）が記録されていないと考えられるので、この場合には、その領域は、ビデオテープ６０の無記録領域であると判断することが可能である。また、所定の時間、ＣＴＬ信号６３が検出されなくなった後、ＣＴＬ信号６３が検出されなくなった位置までビデオテープ６０を巻き戻すことによって、ビデオテープ６０を、無記録領域の先頭位置に容易に移動させることができる。これにより、ビデオテープ６０の無記録領域の先頭位置から、コンテンツのダビング（記録）を開始することができるので、ダビング時の上書き記録によって、先に記録されているコンテンツが消去されるのを抑制することができる。
【００４５】
また、本実施形態では、制御部２１を、ビデオテープ６０のＣＴＬ信号６３を計数することにより、ビデオテープ６０の録画可能時間を算出するように構成することによって、ビデオテープ６０の始端位置から無記録領域の先頭位置までのＣＴＬ信号６３を計数することにより、録画されているコンテンツの録画時間を算出することができるので、ビデオテープ６０の総録画時間が分かっている場合には、その差より、ビデオテープ６０の無記録領域の録画可能時間を算出することができる。その結果、ＨＤＤ２（磁気ディスク２ａ）、または、ＤＶＤメディア７０に録画されているコンテンツをビデオテープ６０にダビングする際に、ダビングするコンテンツの全てが録画可能であるかを検出することができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、本発明をビデオレコーダに適用した例を示したが、本発明はこれに限らず、録画（記録）されたコンテンツに対応するサムネイル画像を表示することが可能であれば、ビデオレコーダ以外の記録再生装置に本発明を適用してもよい。たとえば、パーソナルコンピュータ、ビデオテープレコーダ、デジタルビデオカメラ、テレビゲーム機などに、本発明を適用してもよい。
【００４８】
また、上記実施形態では、コンテンツを再生する録画再生部として、ＨＤＤ、および、ＤＶＤドライブ（ＤＶＤメディア）を用いた例を示したが、本発明はこれに限らず、コンテンツを再生する録画再生部は、ＨＤＤ、および、ＤＶＤドライブ以外の録画再生部であってもよい。ＨＤＤ、および、ＤＶＤドライブ（ＤＶＤメディア）以外の録画再生部としては、たとえば、記録用メモリカードなどが考えられる。
【００４９】
また、上記実施形態では、ビデオテープに記録されたＣＴＬ信号を検出することによって、ビデオテープの無記録領域の先頭位置を検出する例を示したが、本発明はこれに限らず、コンテンツの映像信号と対応して記録される記録信号であれば、ＣＴＬ信号以外の信号を検出することによって、ビデオテープの無記録領域の先頭位置を検出するように構成してもよい。
【００５０】
また、上記実施形態では、ＣＴＬ信号を計数することによって、ビデオテープの録画可能時間を算出する例を示したが、本発明はこれに限らず、ビデオテープの２つのリールの周期比を利用して、ビデオテープの残りの録画可能時間を算出するようにしてもよい。この場合には、ビデオテープの総録画時間を入力しなくても、ビデオテープの残りの録画可能時間を算出することが可能である。
【００５１】
また、上記実施形態では、アナログのテレビジョン電波信号が受信可能なチューナ部を用いた例を示したが、本発明はこれに限らず、デジタルのテレビジョン電波信号を受信可能なデジタルチューナ部を用いるようにしてもよい。
【図面の簡単な説明】
【００５２】
【図１】本発明の一実施形態によるビデオレコーダの全体斜視図である。
【図２】図１に示した本発明の一実施形態によるビデオレコーダのリモコン送信機の平面図である。
【図３】図１に示した本発明の一実施形態によるビデオレコーダの構成を説明するためのブロック図である。
【図４】本発明の一実施形態によるビデオレコーダのビデオテープに記録された記録信号を説明するための図である。
【図５】図１に示した一実施形態によるビデオレコーダのダビング動作を説明するためのフローチャートである。
【図６】図１に示した一実施形態によるビデオレコーダのダビング動作を説明するためのフローチャートである。
【図７】図６に示した一実施形態のステップＳ１７のＶＣＲダビング終了動作ルーチンについて説明するためのフローチャートである。
【図８】図１に示した一実施形態によるビデオレコーダの表示画面を示した図である。
【図９】図１に示した一実施形態によるビデオレコーダの表示画面を示した図である。
【符号の説明】
【００５３】
１        ビデオレコーダ
２        ＨＤＤ（再生装置部）
２ａ      磁気ディスク（第１記録媒体）
３        ＤＶＤドライブ（再生装置部）
４        ＶＣＲ（記録装置部）
４ｂ      ＣＴＬ信号検出部（記録信号検出部、制御信号検出部）
５        電源スイッチ
２０      電源部
２１      制御部（映像音響情報記録部、記録開始位置検出部、第１巻戻動作部、
第１巻戻動作部、制御信号検出動作部、記録時間算出部）
２１ａ    タイマー部
２３      記録用メモリ
２４      メモリ
２５      チューナ部
２６      エンコーダ部
２７      デコーダ部
２８      ＯＳＤ回路部
５０      アンテナ
６０      ビデオテープ（磁気テープ記録媒体、第２記録媒体）
６１      映像信号
６２      音声信号
６３      ＣＴＬ信号（記録信号、制御信号）
７０      ＤＶＤメディア（第１記録媒体）
【図１】
2007294060.tif 000003
【図２】
2007294060.tif 000004
【図３】
2007294060.tif 000005
【図４】
2007294060.tif 000006
【図５】
2007294060.tif 000007
【図６】
2007294060.tif 000008
【図７】
2007294060.tif 000009
【図８】
2007294060.tif 000010
【図９】
2007294060.tif 000011